(57)【要約】【課題】コンクリート用化粧型枠の外壁面を構成する木材が縦材である支柱から長期にわたって離脱することがなく、しかも外観形態に優れたコンクリート用化粧型枠およびこれを外表面に装着したコンクリート構造物の提供。【解決手段】フランジ部２２を有する支柱２０が所要間隔をあけて立設され、支柱２０間に木材３０を配設されてなるコンクリート用化粧型枠１０およびこれを表面に装着してなるコンクリート構造物１００であって、木材３０の両端部には、フランジ部２２が進入可能な溝部３２が形成されていて、フランジ部２２を溝部３２に挿入させた状態で木材３０を支柱２０の立設方向に沿って複数積み重ねることにより外壁面が形成されていることを特徴とする。【選択図】図９
2011163033.tif 000002
【特許請求の範囲】
【請求項１】
フランジ部とウェブ部を有する支柱が所要間隔をあけて立設され、支柱間に木材が配設されてなるコンクリート用化粧型枠であって、
前記木材の両端部には、前記フランジ部を挿入可能に形成された溝部が設けられていて、
前記フランジ部を前記溝部に挿入させた状態で前記支柱の立設方向に沿って前記木材を複数積み重ねることにより外壁面が形成されていることを特徴とするコンクリート用化粧型枠。
【請求項２】
前記溝部は、前記木材の中心位置から前記外壁面側に離間した位置に形成されていることを特徴とする請求項１記載のコンクリート用化粧型枠。
【請求項３】
前記フランジ部には、足場用部材を保持する足場保持具が取り付けられていることを特徴とする請求項１または２記載のコンクリート用化粧型枠。
【請求項４】
前記外壁面から前記フランジ部が露出している部分にはシール材が配設されていることを特徴とする請求項１〜３のうちのいずれか一項に記載のコンクリート用化粧型枠。
【請求項５】
前記木材は間伐材であることを特徴とする請求項１〜４のうちのいずれか一項に記載のコンクリート用化粧型枠。
【請求項６】
前記支柱は前記支柱の部材延長方向と直交する方向における断面形状がＴ字状またはＨ字状に形成された鋼材であることを特徴とする請求項１〜５のうちのいずれか一項に記載のコンクリート用化粧型枠。
【請求項７】
前記ウェブ部には所要間隔をあけて貫通孔が形成されていることを特徴とする請求項１〜６のうちのいずれか一項に記載のコンクリート用化粧型枠。
【請求項８】
請求項１〜７のうちのいずれか一項に記載のコンクリート用化粧型枠が外表面装着されていることを特徴とするコンクリート構造物。
【発明の詳細な説明】
【技術分野】
【０００１】
本発明はコンクリート用化粧型枠およびこれを外表面に装着したコンクリート構造物に関する。
【背景技術】
【０００２】
治山ダムや砂防ダムなどの山中におけるコンクリート構造物を構築する際に用いられるコンクリート型枠には、コンクリートが硬化した後も脱型を行わないものがある。近年では、山中とはいえども構造物の外観形態に対する配慮が要求されており、このような取り外し不要なコンクリート型枠についても、山中の景観に溶け込むような外観を有するものが提案されている。
【０００３】
このようなコンクリート用化粧型枠としては、例えば、水平に配置された間伐材を軽溝形鋼からなる縦材に沿うように当接して複数本積み上げた型枠の外壁面とからなり、間伐材は縦材の側壁部にコーチスクリューで固定されて取り付けられている構成が特許文献１において開示されている。
また、構築すべきコンクリート構造体の壁面高さ方向に沿って、水平方向に所要間隔をあけて複数本のＨ型鋼を立設し、Ｈ型鋼のフランジとウェブとで囲まれたコの字状をなしている部分に間伐材の端部を上側から落とし込んでＨ型鋼間に間伐材をセットすることで型枠の外壁面を構築する構成が特許文献２において開示されている。
【先行技術文献】
【特許文献】
【０００４】
【特許文献１】実用新案登録第３０９５３４２号公報
【特許文献２】特開２００５−２９０９１４号公報
【発明の開示】
【発明が解決しようとする課題】
【０００５】
これらのようなコンクリート用化粧型枠は、型枠の外壁面が間伐材（木材）により構成されているので、治山ダムや砂防ダム等が建設されるような山中において、構造物のコンクリート面がむき出しになることがないため好適である。
しかしながら、特許文献１で開示されている技術であると、間伐材は縦材の側壁部にコーチスクリューで固定されて取り付けられている構成であるため、コーチスクリューによって取り付け加工した部分から水が浸入し、間伐材がこの固定部分から数年程度で腐食してしまうことがある。すなわち、特許文献１に開示されているような構成のコンクリート用化粧型枠を装着したコンクリート構造物は、共用開始後、わずか数年で間伐材が立て材から離脱してしまうおそれがあるといった危険性が明らかになった。
【０００６】
このような課題に対して特許文献２に示すような構成が提案された。特許文献２に開示されているコンクリート用化粧型枠においては、間伐材へのコーチスクリュー加工した部分がないため、間伐材の腐食がなく、長期にわたって間伐材の縦材からの離脱を防ぐことができるが、縦材にＨ型鋼を用い、Ｈ型鋼のコの字状部分に木材を落とし込んで木材を取り付けしているため、コンクリート構造物の外表面にＨ型鋼のフランジ部分が露出してしまい、コンクリート用化粧型枠およびこれを外表面に装着したコンクリート構造物の外観形態が損なわれてしまうといった課題がある。
【０００７】
そこで本願発明は、コンクリート用化粧型枠の外壁面を構成する木材が縦材である支柱から長期にわたって離脱することがなく、しかも外観形態に優れたコンクリート用化粧型枠およびこれを外表面に装着したコンクリート構造物の提供を目的としている。
【課題を解決するための手段】
【０００８】
上記課題を解決するために本発明は鋭意研究を行った結果、以下の構成に想到した。
すなわち、フランジ部とウェブ部を有する支柱が所要間隔をあけて立設され、支柱間に木材が配設されてなるコンクリート用化粧型枠であって、前記木材の両端部には、前記フランジ部を挿入可能に形成された溝部が設けられていて、前記フランジ部を前記溝部に挿入させた状態で前記支柱の立設方向に沿って前記木材を複数積み重ねることにより外壁面が形成されていることを特徴とするコンクリート用化粧型枠およびこれを外表面の少なくとも一部に装着したコンクリート構造物である。
【発明の効果】
【０００９】
本発明にかかるコンクリート用化粧型枠およびこれを外表面に装着したコンクリート構造物によれば、支柱に設けられたフランジ部が外壁面を構成する木材に形成された溝部に挿入した状態で支柱と外壁面である木材とが組みつけられているので、木材の支柱からの離脱を防止することができる。また、支柱のフランジ部分は、木材に形成された溝部にほとんどの部分が挿入した状態になるため、コンクリート構造物の外表面部分に支柱がほとんど露出することがなく、美観に優れたコンクリート用化粧型枠およびコンクリート構造物を提供することができる。
【図面の簡単な説明】
【００１０】
【図１】本実施形態にかかるコンクリート用化粧型枠の要部を内側から臨んだ斜視図である。
【図２】本実施形態にかかるコンクリート用化粧型枠の要部を外表面側から臨んだ正面図（Ａ）とこれに対する右側面図（Ｂ）である。
【図３】図２中のＡ−Ａ線における断面図である。
【図４】木材の両端部の形状を示す平面図である。
【図５】本実施形態におけるコンクリート用化粧型枠を用いたコンクリート構造物の建設工程において各工程における状態を示す正面図および右側面図である。
【図６】本実施形態におけるコンクリート用化粧型枠を用いたコンクリート構造物の建設工程において各工程における状態を示す正面図および右側面図である。
【図７】本実施形態におけるコンクリート用化粧型枠を用いたコンクリート構造物の建設工程において各工程における状態を示す正面図および右側面図である。
【図８】本実施形態におけるコンクリート用化粧型枠を用いたコンクリート構造物の建設工程において各工程における状態を示す正面図および右側面図である。
【図９】本実施形態におけるコンクリート用化粧型枠を用いたコンクリート構造物の建設工程において各工程における状態を示す正面図および右側面図である。
【図１０】本実施形態にかかるコンクリート用化粧型枠に足場を取り付けた状態を示す右側面図である。
【図１１】コンクリート用化粧型枠に用いる木材の他の実施形態例を示す平面図である。
【図１２】図１１に示す木材をＴ型鋼の支柱に取り付けした際における状態を示す断面図である。
【発明を実施するための最良の形態】
【００１１】
以下、本発明にかかるコンクリート用化粧型枠１０の実施形態について、図面に基づいて説明する。
図１は、本実施形態にかかるコンクリート用化粧型枠の要部を内側から臨んだ斜視図である。図２は、本実施形態にかかるコンクリート用化粧型枠の要部を外表面側から臨んだ正面図（Ａ）とこれに対する右側面図（Ｂ）である。図３は、図２中のＡ−Ａ線における断面図である。図４は、木材の両端部の形状を示す平面図である。
本実施形態におけるコンクリート用化粧型枠１０は、外壁面を構成する横材（水平材)としての木材３０と、高さ方向に積み重ねた木材３０を保持するための縦材としての支柱２０とを有している。本実施形態における木材３０は直方体に製材された木材３０を用いた例について説明を行うが、木材３０は直方体以外の形状に形成（製材）されたものであっても良いのはもちろんである。
【００１２】
支柱２０には、木材３０を保持するためのフランジ部２２とウェブ部２４とを有している。本実施形態においてはこのようなフランジ部２２とウェブ部２４を有する支柱２０として、支柱２０の延長方向における軸線に直交する方向の断面形状がＴ字状に形成されたＴ型鋼を用いている。また、ウェブ部２４には所要間隔をあけて貫通孔２６が配設されている。貫通孔２６は支柱２０の軽量化と、ウェブ部２４と型枠内に打設したコンクリートとの付着強度を向上させるためのものである。これにより、山中でのコンクリート構造物１００の施工時における運搬業務およびコンクリート構造物１００の供用後におけるメンテナンス頻度をそれぞれ大幅に軽減させる点において好都合である。
また、フランジ部２２の外側表面（正面側）には、作業用足場用部材等を保持するための足場保持具２８が取り付けられている。図２に示すように、足場保持具２８の幅寸法は、支柱２０のウェブ部２４の幅（板厚）寸法以下に形成されている。フランジ部２２への足場保持具２８の取り付け方法は溶接等の公知の手段を用いることができる。
【００１３】
このように形成された支柱２０は、一端側を基礎部７０の所要深さまで根入れされた状態で複数本が所要間隔をあけて基礎部７０に立設されている。支柱２０の基礎部７０への根入れ深さや基礎部７０への立設間隔は、コンクリート用化粧型枠１０の外壁面を構成する木材３０の長さや支柱２０の耐荷能力に合わせて適宜変更することができる。また、本実施形態においては、基礎部７０の表面に対して支柱２０をほぼ直角方向に立設させているが、支柱２０は、構築するコンクリート構造物１００の正面側の表面形状に合わせて（基礎部７０の表面に対して斜め方向に）立設させることも可能である。支柱２０の立設方向における連結には、連結板および連結ボルトからなる連結部材や溶接等の公知の方法を用いることで、構築すべきコンクリート構造物１００の高さ寸法に合わせた高さまで支柱２０を延長することができる。
【００１４】
基礎部７０に立設した支柱２０のフランジ部２２には、コンクリート用化粧型枠１０の外壁面をなす木材３０が取り付けられる。木材３０は、立設された支柱２０間を橋渡しする状態で配設される。具体的には、図３、図４に示すように木材３０の両端部に形成された凹状の溝部３２にフランジ部２２を挿入させた状態とし、支柱２０に沿って木材３０を落とし込むようにして木材３０が支柱２０に取り付けられる。木材３０の溝部３２は、コンクリート用化粧型枠１０の外壁面となる木材３０の厚さ方向における中心位置よりも外壁面側（正面側）に離間した位置に形成されている。凹状の溝部３２の深さ寸法（木材３０の端部面から溝部３２の底部までの深さ寸法）は、支柱２０のウェブ部２４の表面からフランジ部２２の端部までの寸法以上に形成されているので支柱２０と木材３０の溝部３２とをほぼ嵌合した状態に組み立てることが可能である。また、フランジ部２２と溝部３２との間に隙間を有し、木材３０の溝部３２とフランジ部２２とが遊嵌状態で取り付けられている場合であっても、コンクリート打設時に隙間部分がセメントミルク成分により充てんされるため、特に問題はない。
【００１５】
支柱２０に取り付けられた木材３０は、図３に示すように、木材３０の両端面がそれぞれ異なる支柱２０のウェブ部２４に当接した状態となり、フランジ部２２の外表面（外壁面の正面側）においては、足場保持具２８が木材３０の端面どうしの間で挟持された状態になる。足場保持具２８の突出側先端部（足場用部材を保持する部分）は、木材３０の外壁面よりも突出した状態を維持するのはもちろんである。このように、支柱２０のフランジ部２２の外表面（正面側）は、木材３０によりほぼ全体を被覆した状態にすることができるため、木材３０によるきわめて優良な外観を呈し、周辺環境との調和に寄与する。
【００１６】
またウェブ部２４の自由端部は、図１〜図３に示すように、木材３０の内側表面（背面側）よりも突出しているので、コンクリート用化粧型枠１０にコンクリートを打設することで、ウェブ部２４の一部をコンクリートに根入れした状態にすることができる。これにより支柱２０とコンクリートの付着強度が向上し、コンクリート構造物１００と支柱２０とを確実に一体化させることができる。
【００１７】
次に本実施形態で説明したコンクリート用化粧型枠を用いたコンクリート構造物建設工程について、図面を参照しながら説明する。本実施形態においては、コンクリート構造物としていわゆる治山ダムの堰堤を想定しているが、本願発明にかかるコンクリート構造物１００は、治山ダムに限定されるものではなく、型枠を用いて建造されるいずれのコンクリート構造物にも適用可能であるのはもちろんである。
図５〜図９は、本実施形態におけるコンクリート用化粧型枠を用いたコンクリート構造物の建設工程において各工程における状態を示す正面図および右側面図である。図１０は、本実施形態にかかるコンクリート用化粧型枠に足場を取り付けた状態を示す右側面図である。
【００１８】
まず、コンクリート構造物１００の建設位置に基礎部７０を構築する。本実施形態における基礎部７０の材料にはコンクリートが用いられている。基礎部７０を構築する際には、図５に示すように、予め支柱２０の一端部を基礎部７０（場合によっては支持地盤（図示せず）まで）に所要深さまで根入れしておく。次いで、図６に示すように、支柱２０の上端部側からフランジ部２２を木材３０の両端部に形成した溝部３２に挿入させた状態で、支柱２０の立設方向に沿って木材３０を順次落とし込んで基礎部７０の上面に木材３０を積み上げていく。
図６に示す工程を繰り返し行い、図７に示すように複数の木材３０を支柱２０に沿って所定の高さ位置まで積み上げる。支柱２０を立設方向に延長する場合には、公知の連結部材を用いるため、連結部分におけるフランジ部２２の厚さ寸法が増加することがある。このような場合には、組み立て現場において凹状の溝部３２の開口部を切削等して溝部３２の開口寸法を増加させればよい。
【００１９】
支柱２０への木材３０の取り付け工程を終えた後、図８に示すように、フランジ部２２の外側表面（正面側）における木材３０の端面間から露出する部分に、必要に応じてコーキング剤等のシール部材４０を施す。このようなシール部材４０を配設することにより、支柱２０と木材３０との隙間部分からのフレッシュコンクリートの漏れ出しを防止することができ、漏れ出したコンクリートによる外観の悪化を防止することができる。
また、必要に応じて、ウェブ部２４の木材３０の内側表面（背面側）からの突出部分と、基礎部７０に予め取り付けたアンカー５０とを連結具５２により連結する。
【００２０】
アンカー５０および連結具５２により、コンクリート用化粧型枠１０が補強された後、コンクリートを打設する。コンクリートの打設量は、コンクリート用化粧型枠１０の強度等に応じて適宜調整を行う。
コンクリート用化粧型枠１０に打設したコンクリートが硬化した後、コンクリート表面を洗浄し、追加のコンクリートを打設する。これを繰り返して所定の高さまでコンクリートを打設してコンクリート構造物１００が構築される。通常、コンクリート用型枠は、コンクリートが硬化した後に、コンクリート用型枠を分解する脱型工程が行われるが、本願発明におけるコンクリート用化粧型枠１０においては、この脱型工程が不要である。すなわち、コンクリート用化粧型枠１０が正面側表面を覆ったコンクリート構造物１００が提供されることになる。
【００２１】
このように、コンクリート構造物１００の正面側表面を木材３０により被覆することにより、例えば治山ダムのような山中に建設されるコンクリート構造物１００の外観を周辺環境に調和させることができる点において好都合である。また、木材３０に形成された凹状の溝部３２に支柱２０のフランジ部２２を挿入した状態でコンクリートＣが打設されているので、木材３０と支柱２０の接触部分にコンクリートＣのセメントミルク成分が浸入し、外部からの水分の浸入を防ぐことが可能になる。これによりコンクリート構造物１００を長期間にわたって当初の外観状態に維持することができる点においても好都合である。
【００２２】
また、コンクリート用化粧型枠１０の高さによっては、作業員の安全確保のため、コンクリート用化粧型枠１０に図１０に示すような足場６０を配設しなければならないことがある。このような場合、フランジ部２２の外表面側に露出する足場保持具２８に足場用部材６２を保持させることで、作業用に必要な足場６０を構築することができる。これによりコンクリート用化粧型枠１０に対し、いわゆるビティ足場と呼ばれる大規模な仮設足場の設置が不要になる。すなわちコンクリート用化粧型枠１０、コンクリート構造物１００の施工コストを軽減させることができ、好都合である。
【００２３】
以上にコンクリート用化粧型枠１０とこれを外表面に装着したコンクリート構造物１００について実施形態に基づいて説明をしたが、本願発明は以上の実施形態に限定されるものではないのはもちろんである。例えば、本実施形態においては、図８に示すようにコンクリート用化粧型枠１０の外壁面の外側表面（正面側）における木材３０の端面間の隙間にコーキング剤等のシール部材４０を施しているが、打設するコンクリートＣの配合により流動性が低く抑えられている場合にはシール部材４０の施工は省略することができる。
【００２４】
また、本実施形態においては、ほぼ直方体に製材された木材３０を用いているが、間伐材や積み重ね部分のみに平坦面を形成した木材３０や正面側、背面側のうち少なくとも一方の面に平坦面を形成した木材３０を用いることもできる。また、木材３０の両端部の凹状の溝部３２の配設位置は、木材３０の外壁面の厚さ方向（木材３０の板厚方向）の中心位置にすることもできる。
【００２５】
また、以上に示した実施形態における木材３０の両端部形状は、図１１および図１２に示すように、溝部３２よりもコンクリート打設側（背面側）の端部位置に対して、溝部３２よりも外表面側（正面側）の端部位置をウェブ部２４の板厚寸法ｔｗの半分（ｔｗ／２）だけ突出させた（長くした）形状に形成した形態としてもよい。
このような木材３０は、足場保持具２８が取り付けられていない支柱２０を使用する場合において採用することができる。
【００２６】
図１２は、図１１に示した木材３０をＴ型鋼からなる支柱２０に取り付けた際における状態を示す断面図である。このような木材３０を用いれば、図１２に示すように、支柱２０のフランジ部２２の外壁面（正面側）の全面を木材３０により覆うことができ、コンクリート構造物１００の美観をより高めることができる。
このような木材３０は、道路沿いに構築される擁壁等、外観上の美しさ（仕上がり状態）がより厳密に要求されるコンクリート構造物１００を構築する際のコンクリート用化粧型枠１０において特に好適に用いることができる。
【００２７】
また、本実施形態においては、ウェブ部２４の貫通孔２６が木材３０の端面に覆われた状態になっているが、貫通孔２６の一部が木材３０の内側面からはみ出す配置で形成すれば、コンクリートを打設した際に、確実に貫通孔２６にコンクリートを充てんさせることができることに加え、連結材５２の取り付けが容易かつ確実に行うことができるため好都合である。
【００２８】
さらには、本実施形態においては、縦材となる支柱２０にＴ字型断面を有する鋼材を採用しているが、これに限定されるものではない。要は、基礎部７０に立設され、木材３０に形成された溝部３２に進入可能な形状のフランジ部２２を有していればよく、いわゆるＨ型鋼を用いることもできる。支柱２０にＨ型鋼を用いた場合、支柱２０の重量は増加するが、支柱２０としての強度は向上し、コンクリート打設空間内にもフランジ部が入り込むことになるから、より強固に支柱２０とコンクリートとを一体化することができる。この場合、コンクリート打設空間内のフランジ部には板厚方向に貫通する貫通孔を配設すれば、支柱２０の軽量化、支柱２０とコンクリートＣとの一体化、連結材５２の取り付けにおいて有効である。
さらにまた、支柱２０に使用する鋼材の種類を問わず、支柱２０のウェブ部２４に設ける貫通孔２６については、その配設を省略することができるのはもちろんである。
【符号の説明】
【００２９】
１０  コンクリート用化粧型枠
２０  支柱
２２  フランジ部
２４  ウェブ部
２６  貫通孔
２８  足場保持具
３０  木材
３２  端部
３４  溝部
４０  シール部材
５０  アンカー
５２  連結具
６０  足場
６２  足場用部材
７０  基礎部
１００  コンクリート構造物
【図１】
2011163033.tif 000003
【図２】
2011163033.tif 000004
【図３】
2011163033.tif 000005
【図４】
2011163033.tif 000006
【図５】
2011163033.tif 000007
【図６】
2011163033.tif 000008
【図７】
2011163033.tif 000009
【図８】
2011163033.tif 000010
【図９】
2011163033.tif 000011
【図１０】
2011163033.tif 000012
【図１１】
2011163033.tif 000013
【図１２】
2011163033.tif 000014